(57)【要約】【課題】座部の体感安定性を高め、人体への負担を軽減して住宅の和室居間、勉強部屋、書斎などで家具として長時間使用できる正座具を提供する。【解決手段】垂直方向の断面形状が正座時の人体の臀部・大腿部の双凸断面形状に対応した双凹形状であり、座った時の体圧の分散が最大となるような立体的な座面を有する座部と、左右幅が座部より小さく所定の高さを備え、該座部から下側に連接された脚部を備え、座部の下面と脚部の左右側面で区切られた空間に各々左右の脛部・足部を収容することを特徴とする。【選択図】      図１
2007282871.tif 000002
【特許請求の範囲】
【請求項１】
上下（高さ）方向に連接された座部と脚部とからなる正座具であって、
前記座部は、前後（縦）方向に延びる中央仕切り部と、前記中央仕切り部の左右（横）方向に各々延設された、縦方向に延びる左座面及び右座面とからなり、
前記中央仕切り部、左座面、及び右座面の上面は縦方向に沿って傾斜し、
前記中央仕切り部の上面の横断面形状は凸状であり、前記左座面及び右座面の上面の横断面形状は凹状であり、
前記脚部は縦方向に延びて、横方向の幅は前記座部の横方向の幅より狭く、前記中央仕切り部に沿って前記座部の下面に連接されている、
ことを特徴とする正座具。
【請求項２】
前記正座具の材質が、少なくとも硬質ウレタンフォーム、軟質ウレタンフォーム、及び、コルク材と桐を含む軽比重木材のいずれかを含むことを特徴とする請求項１記載の正座具。
【請求項３】
前記座部の上面は、縦方向に沿って後端が前端よりも１０ｃｍ〜１５ｃｍの範囲で高くなるように傾斜（前傾）していることを特徴とする請求項１記載の正座具。
【請求項４】
前記左座面及び右座面の上面の横断面の凹形状の深さは、５０ｍｍ〜６０ｍｍの範囲にあることを特徴とする請求項１記載の正座具。
【請求項５】
前記座部の体圧分散は、感応したセンサーの数によって測定し、前記座面への臀部の接触面積が最大になる時に、体圧分散が最大と判断することを特徴とする請求項１記載の正座具。
【発明の詳細な説明】
【技術分野】
【０００１】
本発明は、人体が正座する場合に正しい姿勢で正座ができ、足がしびれるのを防止する正座具に関し、詳しくは、一般住宅の和風居間、勉強部屋、書斎等で長時間使用する際の身体への負担を軽減し、臀部への支持を高めるためのワイドで身体形状に類似の立体的な座面を開発することで体幹安定性を高めた、しかも従来の可搬式で宗教儀式等に一時的に用いられる用途では無く、室内に定置して半永久的に使用する目的に適う家具調の、正座具に関するものである。
【背景技術】
【０００２】
従来市販されている正座具として特許文献１には、図６（ａ）正面図及び図６（ｂ）側面図に示すように、座板１０２と、座板１０２に取付けた金属パイプ等からなる支持脚１０３から構成される正座用椅子１００が開示されている。
人体が座る座板１０２は四角形の平板で材質は木板をウレタン等でカバーしたものであり、この座板１０２の上に臀部を付けて座り、正座時の両足を下のパイプ１０３、１０５の間に折り曲げ挿入して正座する。
また特許文献２に開示されている正座具では、図７に示すように、折り曲げ可能な板や強化ダンボールなどの平板に、切り込み２０４ａ〜ｄをつけ、四角形の天板部２０１を残して左右の部分を破線２０３、２０３に沿って下側に曲げ、更に、先ず、切り込み２０４ａ、２０４ｂにより天板部２０１から切り離された部分２０５ａ、２０５ｂを内側に曲げて、夫々の先端辺２０６ａ、２０６ｂを接合させて左足の挿入スペースを形成し、続いて、２０５ｄ、２０５ｃを内側に曲げて、その先端辺２０６ｄ、２０６ｃを接合させて右足の挿入スペースを形成し、２０５ａ〜２０５ｄの全体を輪ゴム、テープなどで固定する。
こうして、例えば、図７で右側を向いて天板２０１上に臀部を下ろして座り、天板２０１の下部で、２０５ａと２０５ｂの外部（左側）に形成される空間に左足が、２０５ｄと２０５ｃの外部（右側）に形成される空間に右足が挿入される。
【特許文献１】特開２０００−６０６８２号公報
【特許文献２】特開平７−２９８９４９号公報
【発明の開示】
【発明が解決しようとする課題】
【０００３】
しかしながら、従来の正座具は、特許文献１の場合は法事やけいこ事の会場などで使用されて、終わるとパイプ椅子と同じように重ねて倉庫に収納するものであり、特許文献２の場合は、輪ゴムやテープで繋いだ状態のまま、紙袋にいれて運んだり、輪ゴムやテープを外して元の平板に戻し重ねて運搬して、会場で組み立てるものである。
即ち両者ともに、稽古事（華道、茶道、三味線・長唄）、宗教儀式（法事）等に用いるための可搬式という点に重点が置かれた簡易型の正座具であって、通常、家庭内で家具として使用できるものでないという問題がある。
また、特許文献１、特許文献２の場合も共に、座板が実質的に平坦であるために、臀部などに加わる体圧が大きく座り心地がよくないために、長時間座っていると苦痛を感ずるという問題があった。
そこで、本発明は、臀部への支持を高めるためにワイドで身体に相似の立体的な座面を開発することで、座部の体感安定性を高め、身体への負担を軽減して住宅の和室居間、勉強部屋、書斎などで家具として長時間使用できる正座具を提供することを目的としている。
【課題を解決するための手段】
【０００４】
上記目的を達成するため、請求項１に記載の発明は、各々上下（高さ）方向に連接された座部と脚部とからなる正座具であって、前記座部は、前後（縦）方向に延びる中央仕切り部と、前記中央仕切り部の左右（横）方向に各々延設された、縦方向に延びる左座面及び右座面とからなり、前記中央仕切り部、左座面、及び右座面の上面は縦方向に沿って傾斜し、前記中央仕切り部の上面の横断面形状は凸状であり、前記左座面及び右座面の上面の横断面形状は凹状であり、前記脚部は縦方向に延びて、横方向の幅は前記座部の横方向の幅より狭く、前記中央仕切り部に沿って前記座部の下面に連接されている、ことを特徴とする。
また、請求項２に記載の発明は、前記正座具の材質が、少なくとも硬質ウレタンフォーム、軟質ウレタンフォーム、及び、コルク材と桐を含む軽比重木材のいずれかを含むことを特徴とする。
また、請求項３に記載の発明は、前記座部の上面は、縦方向に沿って後端が前端よりも１０ｃｍ〜１５ｃｍの範囲で高くなるように傾斜（前傾）していることを特徴とする。
また、請求項４に記載の発明は、前記左座面及び右座面の上面の横断面の凹形状の深さは、５０ｍｍ〜６０ｍｍの範囲にあることを特徴とする。
また、請求項５に記載の発明は、前記座部の体圧分散は、感応したセンサーの数によって測定し、前記座面への臀部の接触面積が最大になる時に、体圧分散が最大と判断することを特徴とする。
【発明の効果】
【０００５】
本発明による正座具は、長時間正座して勉強や、作業をしても苦痛が無く、疲れることも無い。
さらに、住宅の居間、勉強部屋、書斎などで家具として長時間使用できるという効果がある。
【発明を実施するための最良の形態】
【０００６】
以下、本発明の実施の形態について図を参照して説明する。
【実施例１】
【０００７】
図１は本実施例に係る正座具の形状を示す図である。
図１において、（ａ）（ｂ）（ｃ）（ｄ）は正座具１の各々、上面図、正面図、下面図、側面図（右側面図）を表す。
正座具１は、中央仕切り部５で仕切られ、臀部・大腿部が密着するように、各々凹型の曲面状に形成された左、右の座面２、３を備えた座部と、座部の中央下側に延びて正座具１を固定する脚部４とから構成されている。
正座具１の材質は、少なくとも硬質ウレタンフォーム、軟質ウレタンフォーム、及び、コルク材と桐を含む軽比重木材のいずれかを含む。
この正座具１を使用する際には、左座面２と右座面３の上に左右の臀部・大腿部を密着させ、左右の脛部・足部を大腿部・臀部の下側へ折り曲げて、夫々左足挿入部６と右足挿入部７へ挿入して正座の姿勢を取る。
【０００８】
次に、本発明に係る正座具を設計するに当たり、どのようなポイントに留意して設計すれば、長く座っても疲れない、座り心地のよい正座具ができるかを、下記のような独自の方法で調査した。
先ず、スツール（背もたれの無い椅子）の座面を（透明な）ガラスで置換し、座面の下に撮像装置を設けたものを用意し、床座ビューワと名付けた。
図２は本床座ビューワの座面上に正座した被験者の人体を下方から撮影した図である。
本図から明らかなように、楕円で囲んだ箇所、即ち、脛の膝に近い箇所（Ａ）と、足の甲の踵に対応する箇所（Ｂ）が最も強く圧迫されている。
これは、正座の際に（Ａ）には大腿の膝に近い部分の荷重、（Ｂ）には臀部の荷重がかかっていることを示す。
【０００９】
次に、厚さ０．５ｍｍ以下の超薄型のフレキシブルな圧力センサーシートを利用する。
図３はこのような圧力センサーシートの構成略図である。
図３（ａ）に示すように、パッキングシート１０と１５の対抗する面に各々、導電性のシルバーペースト１２、１４が印刷され、各々感圧抵抗性の特殊インク１３、１７でコーティングされる。
行電極は１２と１３で構成され、列電極は１４と１７で構成されており、圧力センサーシートは、このパッキングシート１０と１５を貼り合わせて一体化されて構成される。
図３（ｂ）に示すように、行電極と列電極の交差部分がセンシングポイント１６として動作する。
圧力センサーシートを椅子や正座具などの座面に敷き詰めて、その上に人体が座るとセンシングポイント１６に圧力が加わる。
さらに、別の圧力センサーシートを正座している人体の臀部・大腿部と、脛部・踵部の間に挟み込むと、センシングポイント１６に圧力が加わる。
【００１０】
いずれの場合も、図３（ｃ）のグラフに示すように、センシングポイント１６に加わった圧力に応じて、特殊インク１３の抵抗値が変化する。
この抵抗値の変化が行方向、列方向の電流の変化としてブリッジ等の検出回路に伝達され、この検出アナログ値を８ビット等のデジタル値にＡ／Ｄ変換してパソコン処理により、熱による変動分などを補正して、圧力／出力電圧値がリニア特性になるように変換し、体圧分布データとしてパソコンで画像処理され体圧分布画像として表示される。（本出願人の出願による特許文献３、特に段落０００２〜０００３を参照）。
【特許文献３】特開２００３−１１１６４６号公報
【００１１】
次に、正座した際の骨盤傾斜角度と時間の経過に伴う重心動揺の変化を調べるために、例えば、被験者の腰回りにベルトに装着した骨盤傾斜角センサーを取り付け、骨盤傾斜角センサーの出力をＡ／Ｄ変換してパソコンで測定する。（本出願人の出願による特許文献３、特に段落００１３を参照）。
【００１２】
以上のような測定装置を用いて、正座時におけるチェックポイントとして以下の４種：
測定１．床座ビューワにより、人体下肢の、床面に接する部分、即ち、足の甲、脛などの部位の圧力分布を観察する。
測定２．圧力センサーシートにより、人体下肢の、床面に接する部分の圧力分布を測る。
測定３．圧力センサーシートにより、臀部・大腿部と、脛部・踵部の間にかかる圧力分布を測る。
測定４．骨盤傾斜角センサーにより、骨盤の傾斜角度と重心の動揺の変化を測る。
の測定を行う。
【００１３】
測定３においては４人の被験者（被験者１〜４）を選定して、圧力センサシートを挟み込んで一旦正座した後に、腰を徐徐に浮かせながら測定を繰り返した。
その際に観測された圧力分布のうち、大腿部と脛部で挟まれた膝裏部分の圧力分布のピーク値（以下、本段落では「上記圧力」という）の経時変動を図４に示す。
図４において、横軸は「腰の位置」（単位ｃｍ）である。
また、縦軸は上記圧力であり、その単位μεは、Ｔｏｒｒ（即ち、ｍｍＨｇ）であり、１３３．３Ｐａ（パスカル）に相当する。
正座当初（「腰の位置高さ」＝６ｃｍ）の上記圧力は、５０〜９３μεで、その平均値は６９μεである。
「腰の位置」が６〜１２ｃｍの間は、上記圧力は殆ど変化しないが、「腰の位置」が１７ｃｍ以上になると上記圧力は５０με以下になり、１７−６＝１１ｃｍ程度「腰を浮かす」と、効果が顕著であることが分かる。
なお、正座当初の臀部と踵部で挟まれた部分の圧力分布のピーク値は、１２０〜１９５μεで、その平均値は１５９μεであった（図示せず）。
【００１４】
以上、図４に示したように、正座の辛さを和らげるには腰を１１ｃｍ程度浮かせることが有効である。
また、測定４、骨盤傾斜角度の測定結果から、重心を前の方にシフトする、即ち少し前傾姿勢にすることも正座の辛さを和らげることが確認されている。
そこで、これらの点が、本発明による正座具に反映される。
【００１５】
そこで考慮すべき点は、座板などの座部の形状である。
通常、人体にかかる圧力は高いよりも低い方が座り心地がよい。
図５は一般的な平板座面に正座した被験者の人体にかかる圧力分布のピーク値の変動と快適・不快ゾーンを示す図である。
図５は横軸に時間（単位：秒）をとり、縦軸に上記圧力分布のピーク値を単位ｍｍＨｇ（＝με）で示した図であり、６０分間正座を継続した時の圧力分布のピーク値の変動を示している。
この実験では、被験者は正座開始後１０００秒付近で小さく座りなおし、１７００秒付近で大きく座りなおし、それでも以後身じろぎが増加した。
この図から、人体にかかる圧力は５０ｍｍＨｇを目安として、それ以上の場合（破線領域）は不快ゾーン、それ以下の場合（実線ゾーン）は快適ゾーンと見なすことができる。
この場合、正座開始後１０００秒、即ち１７分位までは、のピーク値は５０ｍｍＨｇ以下の快適ゾーンに収まっているが、１７分以降は５０ｍｍＨｇを超える圧力分布のピーク値が表れ始めて、不快ゾーンに入る時間が増加している。
このような圧力分布のピーク値が５０ｍｍＨｇ以下の状態を実現するためには、第１に、臀部・大腿部と脛部・踵部との接触を回避し、第２に、座部と臀部・大腿部との接触面積が最大になるようにして、体圧の分散を図る必要がある。
【００１６】
再び図１を参照して、本実施例をその使用状態において、上記の諸観点から評価する。
まず、人体の臀部・大腿部は、中央仕切り部５及び左右の座面２、３からなる座部により支持され、一方人体の左右の脛部・足部は、座部の下方に設けられた左右の足挿入部６、７に挿入されるので、臀部・大腿部と脛部・踵部との接触が回避される。
次に、座部の断面形状は、人体の臀部及び両大腿部の、正座時下部の双凸断面形状にフィットする双凹形状になっているので、座部、特に両座面２、３と臀部・大腿部との接触面積が最大になる。
実験の結果、左右両座面２、３の凹部の座ぐりの深さを５５ｍｍ程度にすると、長時間座っても疲れない最適値であることが分かった。
一般には、座ぐりの深さは５０ｍｍ〜６０ｍｍの範囲が好ましい。
５０ｍｍより小さいと座面と臀部・大腿部との接触面積が小さく、臀部・大腿部の下面の一部に圧力が集中し、逆に６０ｍｍより大きいと、中央仕切り部により臀部の中央部が圧迫されるからである。
また、上記の実験により、１１ｃｍ程度「腰を浮かす」と骨盤傾斜角の前傾効果が顕著であることが判明しているので、座部は全体に前傾させてあり、前傾による座部の、後端と前端の高さの差は１１ｃｍにしてある。
一般には、後端と前端の高さの差は、１０ｃｍ〜１５ｃｍの範囲が好ましい。
１０ｃｍより小さいと骨盤傾斜角の前傾効果が失われ、１５ｃｍより大きいと前傾が急になって、座位が不安定になるからである。
【００１７】
このように本発明による正座具は座部と脚部を備え、座部の上面に人体の臀部・大腿部を載せ、人体の脛部・足部を折り曲げて座部の下面と脚部により形成される左右の足挿入部に挿入して正座姿勢をとらせることができ、その際、臀部・大腿部と脛部・踵部との接触が回避され、正座時の脛部・膝裏・足の甲に集中し、その辛さの原因となる圧力が緩和される。
座部の上面の形状は、人体の臀部・大腿部の双凸断面形状にフィットする双凹断面形状を備えているので、臀部・大腿部にかかる圧力が分散され、体圧分布のピーク値が軽減される。
それだけでなく、臀部・大腿部に包容感がある、即ち「包まれている」ように感じられ、体安定感が高められる。
座部は全体として前傾しているので、自然に骨盤傾斜角が前傾し、「腰を浮かした」状態になり、さらに腰部の負担が緩和される。
【００１８】
従って、本発明による正座具を使うと、正座の辛さが緩和され、長時間座っても疲れないように人体各部の負担が低減され、体安定感を高めることができるので、法事や稽古事のみでは無く、住宅の居間や、勉強部屋、書斎、仕事部屋などで長時間の使用にも好適である。
また、本発明による正座具は家具としての装飾性も兼ね備えている。
【図面の簡単な説明】
【００１９】
【図１】本実施例に係る正座具の形状を示す図であり、（ａ）（ｂ）（ｃ）（ｄ）は各々、上面図、正面図、下面図、側面図である。
【図２】床座ビューワの座面上に正座した被験者の人体を下方から撮影した図である。
【図３】圧力センサーシートの構成略図である。
【図４】大腿部と脛部で挟まれた膝裏部分の圧力分布のピーク値の経時変動を示す図である。
【図５】一般的な平板座面に正座した被験者の人体にかかる圧力分布のピーク値の変動と快適・不快ゾーンを示す図である。
【図６】従来の正座用椅子を示す図であり、（ａ）は正面図、（ｂ）は側面図である。
【図７】従来の正座具を示す図である。
【符号の説明】
【００２０】
１        正座具
２、３    左、右の座面
４        脚部
５        中央仕切り部
６、７    左、右足挿入部
１０、１５  パッキングシート
１２、１４  導電性シルバーペースト
１３、１７  感圧抵抗性の特殊インク
１６        センシングポイント
【図１】
2007282871.tif 000003
【図２】
2007282871.tif 000004
【図３】
2007282871.tif 000005
【図４】
2007282871.tif 000006
【図５】
2007282871.tif 000007
【図６】
2007282871.tif 000008
【図７】
2007282871.tif 000009